(57)【特許請求の範囲】
【請求項１】
複数の遊技島台毎に設置されて遊技媒体を揚送する揚送装置の稼動又は停止を制御すると共に、前記複数の遊技島台毎の島台内で遊技媒体の循環異常が発生したときに前記複数の遊技島台毎に設けられる循環異常報知手段でその循環異常状態を報知する遊技島台の制御システムにおいて、
前記制御システムは、
前記複数の遊技島台毎に設けられる各種装置の稼動又は停止を一括操作可能な一括操作手段と、
該一括操作手段の操作に基づいて前記複数の遊技島台にそれぞれ各種信号を出力する一括信号出力手段と、
該一括信号出力手段から出力される各種信号の入力に基づいて前記複数の遊技島台毎に設けられる各種装置を制御する島台装置制御手段と、を備え、
前記島台装置制御手段は、
前記一括信号出力手段から出力される各種信号の中の揚送稼動信号又は揚送停止信号の入力に基づいて前記揚送装置の稼動又は停止を制御する揚送装置制御手段と、
該揚送装置制御手段によって前記揚送装置が稼動制御された後に当該揚送装置の実稼動状態を監視する揚送装置監視手段と、
前記遊技島台内に設けられる遊技媒体の回収経路を介して前記揚送装置へと導かれる遊技媒体の流通状態を常時又は定期的に監視する流通状態監視手段と、
前記循環異常報知手段の報知動作を制御する報知制御手段と、を含み、
前記一括信号出力手段は、
前記揚送稼動信号を出力した後に前記一括操作手段の操作状態が前記揚送装置の稼動状態となっている場合、前記複数の遊技島台にそれぞれ定期的に確認信号を出力する確認信号出力手段を含み、
前記報知制御手段は、
前記確認信号が前記島台装置制御手段に入力されると、前記揚送装置監視手段によって監視される前記揚送装置の実稼動状態と、前記流通状態監視手段によって監視される遊技媒体の流通状態とに基づいて、前記循環異常報知手段による報知動作を行うか否かを判定する判定手段を含み、
該判定手段は、前記揚送装置監視手段によって前記揚送装置が稼動状態であると監視され、且つ、前記流通状態監視手段によって遊技媒体の流通が停止した状態であると監視されると、前記循環異常報知手段による報知動作を行うことを判定することを特徴とする遊技島台の制御システム。
【請求項２】
前記判定手段は、前記流通状態監視手段によって監視される遊技媒体の流通状態に関わらず、前記揚送装置監視手段によって前記揚送装置が停止状態であると監視されると、前記循環異常報知手段による報知動作を行うことを判定することを特徴とする請求項１記載の遊技島台の制御システム。
【発明の詳細な説明】
【技術分野】
【０００１】
本発明は、複数の遊技島台毎に設置されて遊技媒体を揚送する揚送装置の稼動・停止を制御すると共に、前記複数の遊技島台毎の島台内で遊技媒体の循環異常が発生したときに前記複数の遊技島台毎に設けられる循環異常報知手段でその循環異常状態を報知する遊技島台の制御システムに関するものである。
【背景技術】
【０００２】
従来、複数の遊技島台としてのパチンコ島台毎に設けられる揚送装置等の各種装置の稼動及び停止を一括して制御する一括操作パネルを設けたもの（例えば、特許文献１，２参照）が提案されている。このような一括操作パネルは、パチンコホール内の事務所等に１つ設置され、通信線を介してパチンコホールの全てのパチンコ島台（具体的には、パチンコ島台内に設けられる制御基板）と接続されて稼動・停止信号を出力することで、パチンコ島台毎に設けられる各種装置の稼動及び停止を一括して制御するようになっている。
【先行技術文献】
【特許文献】
【０００３】
【特許文献１】特開２００２−２１０１９６号公報（図３）
【特許文献２】特開２００３−２３０７５０号公報（図５）
【発明の概要】
【発明が解決しようとする課題】
【０００４】
ところが、上記特許文献１，２の構成では、冬場になると一括操作パネルの一括操作スイッチをＯＮした後に各パチンコ島台内の通信線に静電気等によってノイズが乗ってしまい、パチンコ島台の各種装置が誤動作することがあった。誤動作の具体的な内容としては、例えば、複数の揚送に関わる各種装置（揚送装置や入込シャッタ装置等）を一括動作させた後に通信線にノイズが乗ってしまい、これを各種装置の駆動を制御する制御基板が停止信号と誤認識してしまうことで各種装置が停止する誤動作である。こうなった場合には、パチンコ島台内での遊技媒体としてのパチンコ玉の循環が行われなくなってしまうことで、遊技場の営業が一旦停止してしまう不具合が生じる。即ち、誤動作によって各種装置が停止した場合、特許文献１，２のような従来の構成では、その旨を報知することがなく、パチンコ島台のパチンコ玉の循環が停止して補給樋から完全にパチンコ玉が無くなった状態を検出した時点で始めて異常を報知するようになっていたため、パチンコ島台に関わる遊技を完全に停止しなければならなかった。なお、特許文献２の構成では、一括操作スイッチによる電源立ち上げ時に１回だけ電源異常を判断して、異常である場合はその旨を報知する構成となっているが、上記したような通信線にノイズが乗って各種装置が停止する場合、一旦各種装置の電源が立ち上がった後にノイズが乗った時点で動作が停止されるので、これを誤動作による停止として判断することができなかった。
本発明は上記した事情に鑑みなされたものであり、その目的とするところは、通信線にノイズが乗ることに起因して遊技島台を構成する各種装置が誤動作した場合でも、その誤動作に伴う異常発生を即座に報知することができる遊技島台の制御システムを提供することにある。
【課題を解決するための手段】
【０００５】
上記した目的を達成するために、請求項１の発明においては、複数の遊技島台毎に設置されて遊技媒体を揚送する揚送装置の稼動又は停止を制御すると共に、前記複数の遊技島台毎の島台内で遊技媒体の循環異常が発生したときに前記複数の遊技島台毎に設けられる循環異常報知手段でその循環異常状態を報知する遊技島台の制御システムにおいて、前記制御システムは、前記複数の遊技島台毎に設けられる各種装置の稼動又は停止を一括操作可能な一括操作手段と、該一括操作手段の操作に基づいて前記複数の遊技島台にそれぞれ各種信号を出力する一括信号出力手段と、該一括信号出力手段から出力される各種信号の入力に基づいて前記複数の遊技島台毎に設けられる各種装置を制御する島台装置制御手段と、を備え、前記島台装置制御手段は、前記一括信号出力手段から出力される各種信号の中の揚送稼動信号又は揚送停止信号の入力に基づいて前記揚送装置の稼動又は停止を制御する揚送装置制御手段と、該揚送装置制御手段によって前記揚送装置が稼動制御された後に当該揚送装置の実稼動状態を監視する揚送装置監視手段と、前記遊技島台内に設けられる遊技媒体の回収経路を介して前記揚送装置へと導かれる遊技媒体の流通状態を常時又は定期的に監視する流通状態監視手段と、前記循環異常報知手段の報知動作を制御する報知制御手段と、を含み、前記一括信号出力手段は、前記揚送稼動信号を出力した後に前記一括操作手段の操作状態が前記揚送装置の稼動状態となっている場合、前記複数の遊技島台にそれぞれ定期的に確認信号を出力する確認信号出力手段を含み、前記報知制御手段は、前記確認信号が前記島台装置制御手段に入力されると、前記揚送装置監視手段によって監視される前記揚送装置の実稼動状態と、前記流通状態監視手段によって監視される遊技媒体の流通状態とに基づいて、前記循環異常報知手段による報知動作を行うか否かを判定する判定手段を含み、該判定手段は、前記揚送装置監視手段によって前記揚送装置が稼動状態であると監視され、且つ、前記流通状態監視手段によって遊技媒体の流通が停止した状態であると監視されると、前記循環異常報知手段による報知動作を行うことを判定することを特徴とする。
【０００６】
また、請求項２の発明においては、請求項１記載の遊技島台の制御システムにおいて、前記判定手段は、前記流通状態監視手段によって監視される遊技媒体の流通状態に関わらず、前記揚送装置監視手段によって前記揚送装置が停止状態であると監視されると、前記循環異常報知手段による報知動作を行うことを判定することを特徴とする。
【発明の効果】
【０００８】
請求項１の発明においては、一括信号出力手段は、揚送稼動信号を出力した後に一括操作手段の操作状態が揚送装置の稼動状態となる場合、複数の遊技島台の島台装置制御手段にそれぞれ定期的に確認信号を出力する。そして、島台装置制御手段を構成する報知制御手段は、一括信号出力手段からの確認信号が入力されると、揚送装置の実稼動状態と遊技媒体の流通状態とに基づいて、循環異常報知手段による報知動作を行うか否かを判定し、その判定結果に基づいて循環異常報知手段の報知動作を制御する。これにより、通信線にノイズが乗ることに起因して遊技島台を構成する各種装置が誤動作した場合、例えば、島台装置制御手段が通信線のノイズを一括信号出力手段からの停止信号と誤認識してしまい、遊技島台の各種装置が停止する誤動作を起こした場合でも、島台装置制御手段は、一括信号出力手段から定期的に送り込まれる確認信号に基づいて、揚送装置の実稼動状態と遊技媒体の流通状態とを定期的に監視することで、ノイズに起因する各種装置の誤動作（停止）を即座に判断して、その旨を循環異常報知手段で報知するので、このような誤動作に伴う異常発生を即座に報知することができる。また、このように誤動作に伴う異常発生を即座に報知することで、遊技島台の遊技媒体の循環が停止して補給樋から完全に遊技媒体が無くなった状態を検出した時点で始めて異常を報知するようなことを回避できるので、遊技島台に関わる遊技を完全に停止させるような不具合を確実に回避することができる。
【０００９】
また、請求項２の発明においては、島台装置制御手段は、一括信号出力手段から定期的に送り込まれる確認信号に基づいた監視において、遊技媒体の流通状態に関わらず、揚送装置が停止状態であると監視すると、循環異常報知手段を制御して循環異常状態を報知するので、通信線にノイズが乗ることに起因して揚送装置が停止する誤動作が行った場合には、このような誤動作に伴う異常発生を即座に報知することができる。
【００１０】
なお、請求項１の発明においては、島台装置制御手段は、一括信号出力手段から定期的に送り込まれる確認信号に基づいた監視において、揚送装置が稼動状態であり、且つ、遊技媒体の流通が停止した状態であると監視すると、循環異常報知手段を制御して循環異常状態を報知するので、通信線にノイズが乗ることに起因して遊技媒体を揚送装置へと導く回収経路で遊技媒体の送り込みに異常が生じた場合、例えば、遊技媒体を揚送装置へ送り込む入込シャッタ装置が誤動作して遊技媒体の送り込みが停止した場合には、このような誤動作に伴う異常発生を即座に報知することができる。
【図面の簡単な説明】
【００１１】
【図１】パチンコ島台の内部を示す部分側面図である。
【図２】一括操作パネル及び揚送装置制御基板を示すブロック図である。
【図３】揚送装置制御基板による揚送装置制御処理を示すフローチャートである。
【図４】揚送装置制御処理のオーバーロード処理を示すフローチャートである。
【図５】揚送装置制御処理のオーバーフロー処理を示すフローチャートである。
【図６】揚送装置制御処理の断線処理を示すフローチャートである。
【図７】揚送装置制御処理の入込シャッタ状態確認処理を示すフローチャートである。
【図８】揚送装置制御処理の手動制御処理を示すフローチャートである。
【図９】揚送装置制御処理の自動制御処理を示すフローチャートである。
【図１０】揚送装置制御処理の監視処理を示すフローチャートである。
【図１１】一括操作パネルの操作状態、揚送装置の稼動状態、及び入込シャッタ装置の開閉状態に応じたフラッシュランプの点灯・消灯態様を示す一覧表図である。
【図１２】他の実施形態における一括操作パネル及び揚送装置制御基板を示すブロック図である。
【発明を実施するための形態】
【００１２】
以下、図面を参照して本発明の実施形態について説明する。先ず、図１を参照して本実施形態に係るパチンコ島台１の概略構成について説明する。図１は、本実施形態に係るパチンコ島台１の内部を示す部分側面図である。
【００１３】
図１において、遊技島台としてのパチンコ島台１は、周知のように、直方体状に枠組み構成され、その長手方向両面に複数のパチンコ機（図示しない）を背向列設するようになっている。また、パチンコ島台１には、各パチンコ機に挟持されるように台間玉貸機（図示しない）が設けられており、この台間玉貸機はパチンコ機と１対１対応するように設けられていると共に、硬貨または紙幣、あるいはプリペイドカードまたは貯玉カードにより遊技媒体としてのパチンコ玉を貸し出すようになっている。
【００１４】
また、パチンコ島台１のほぼ中央には、揚送装置３が立設されている。本実施形態に係る揚送装置３は、帯状の搬送ベルトによってパチンコ玉を揚送するものであり、その帯状の搬送ベルトがパチンコ島台１の長手方向と直交するように配置されて下部の導入樋４ａから導入したパチンコ玉を上部に研磨しながら揚送して上部の排出樋４ｂから上部タンク５に排出するものである。
【００１５】
揚送装置３の上部には、揚送されたパチンコ玉を一時的に貯留する上部タンク５が設けられ、該上部タンク５からは、各パチンコ機にパチンコ玉を供給するための補給樋６が、パチンコ島台１の長手方向端部に向かって傾斜状に設けられている。また、上部タンク５の側方には、交流樋（図示しない）が隣り合うパチンコ島台１と連結して設置されている。交流樋は、隣り合うパチンコ島台１とパチンコ玉の受け渡しを行うためのものであり、内部にシャッタが設置され、このシャッタが開くことによりパチンコ玉の受け渡しが行われ、シャッタを閉じることによりパチンコ玉の受け渡しが停止される。
【００１６】
しかして、揚送装置３により揚送されたパチンコ玉は、先ず上部タンク５につながる補給樋６に最優先で送られる。補給樋６及び上部タンク５にパチンコ玉が充満し、上部タンク５でオーバーフローしたパチンコ玉は、分岐箱７に送られる。分岐箱７は、送られてきたパチンコ玉を揚送装置３の側方に位置するオーバーフローダクト８ａ，８ｂに分岐して誘導するものであり、先ずオーバーフローダクト８ａ側に優先してパチンコ玉が誘導される。オーバーフローダクト８ａに誘導されたパチンコ玉は、オーバーフローダクト８ａ内を落下し、パチンコ島台１の下部に位置する優先タンク９に誘導され、貯留される。優先タンク９に貯留されたパチンコ玉は、ミニコンベア１８を介して貯留タンクとしての非優先タンク１０に移送されるが、非優先タンク１０に移送されるパチンコ玉量よりも優先タンク９に誘導されるパチンコ玉量が多い場合には、優先タンク９のパチンコ玉量が次第に増加していく。貯留されるパチンコ玉量が増加し、優先タンク９及びオーバーフローダクト８ａにパチンコ玉が充満すると、次に分岐箱７でオーバーフローダクト８ｂ側にパチンコ玉が誘導される。オーバーフローダクト８ｂに誘導されたパチンコ玉は、オーバーフローダクト８ｂ内を落下し、揚送装置３を挟んで優先タンク９の反対側に位置する非優先タンク１０に誘導され、貯留される。非優先タンク１０に貯留されたパチンコ玉は、非優先タンク１０と揚送装置３との間に設けられた入込シャッタ装置１９を介して導入樋４ａから揚送装置３へ導入される。
【００１７】
一方、補給樋６には、各パチンコ機にパチンコ玉を誘導する分配シュート１１が各パチンコ機に対応して設けられている。分配シュート１１により取り込まれたパチンコ玉は、分配シュート１１の下方に位置する計数装置（図示しない）により玉数が計数された後、補給装置１２を介してパチンコ機の背面上部に設けられた賞球タンク（図示しない）に供給され、景品玉や遊技玉として使用される。また、補給樋６の下流端には、玉抜き用分離器１３が設けられており、補給樋６の下流端まで流下してきたパチンコ玉は、玉抜き用分離器１３から蛇腹１４を介してアウト玉回収樋１５へ導出されることにより、パチンコ玉がパチンコ島台１内を循環するようになっている。この循環は、補給樋６の玉流れを良好にするために使用されるもので、主にパチンコホールの開店前にのみパチンコ玉が流されて使用される。
【００１８】
また、パチンコ機から排出される使用済みのパチンコ玉は、アウト玉回収ボックス１６で回収された後、下方に排出される。アウト玉回収ボックス１６から排出されたパチンコ玉は、パチンコ島台１の両端部からそのほぼ中央に立設される揚送装置３の下部に向けて下り傾斜状に設けられる前記アウト玉回収樋１５上に落下せしめられる。
【００１９】
また、パチンコ機の下部には、パチンコ島台１に対してほぼ直交するように外側に向かってカウンター台（図示しない）が突設されている。該カウンター台には、玉箱（図示しない）が載置されるものであり、また、カウンター台の下方には、パチンコ島台１の下部外観を構成する腰板（図示しない）がパチンコ島台１に対して着脱自在に設置されている。この腰板に対応する位置のパチンコ島台１内部には、アウト玉回収樋１５が位置しているため、腰板を取り外すことにより、アウト玉回収樋１５のメンテナンスや玉詰まり等のトラブルに対する処置を容易に行うことができる。
【００２０】
なお、アウト玉回収樋１５は、アウト玉回収ボックス１６から排出されたパチンコ玉，玉抜き用分離器１３から蛇腹１４を介して導出されたパチンコ玉及びパチンコ島台１の島端に設置された玉計数器１７から返却されるパチンコ玉をまとめて回収するものであり、簀の子状の誘導レールがパチンコ島台１の中央に長手方向に沿って敷設することにより構成されている。このアウト玉回収樋１５は、簀の子状の誘導レールに限らず、ベルトコンベア等により構成されるものであってもよい。
【００２１】
パチンコ島台１の長手方向端部の上方には、揚送装置３等のパチンコ島台１内に設置される複数の装置の状態を表示する島端表示パネル３０が設置されており、上部タンク５の表面上方には、パチンコ島台１内のパチンコ玉がオーバーフロー状態であるとき等に点灯する循環異常報知手段としてのフラッシュランプ３１が設置されている。また、パチンコ島台１の内部であって、揚送装置３の右側方に設置されるパチンコ機の上方には、揚送装置３を稼動するための電源ユニット３２が、揚送装置３の左側方に設置されるパチンコ機の上方には、パチンコ島台１毎に設けられる揚送装置３等の各種装置を制御するための揚送装置制御基板３３（島台装置制御手段、揚送装置制御手段、揚送装置監視手段、流通状態監視手段、報知制御手段、判定手段）が設置されている。また、左側方に設置されるパチンコ機の側方には、揚送装置３等のパチンコ島台１内に設置される複数の装置を制御するためのスイッチパネル３５が設置されている。
【００２２】
以上、パチンコ島台１の概略構成について説明してきたが、次に、図２を参照して、上記した一括操作パネル４０及び揚送装置制御基板３３について説明する。図２は、一括操作パネル４０及び揚送装置制御基板３３を示すブロック図である。
【００２３】
図２において、一括信号出力手段としての一括操作パネル４０には、分岐端子板３４を介して各パチンコ島台１（同図中には、４台の遊技島Ａ〜Ｄと記載）毎の揚送装置制御基板３３が接続されている。一括操作パネル４０は、パチンコホール内の事務所等に１つ設置されるものであり、パチンコホールの全てのパチンコ島台１内に設置される揚送装置３等（具体的には、揚送装置制御基板３３に接続される揚送装置３、入込シャッタ装置１９、自動巻取装置２０、フラッシュランプ３１、ヒータ装置２１、玉抜き用分離器１３、島端表示パネル３０、及びスイッチパネル３５）に対して一括して稼動又は停止を指示する信号（揚送機稼動・停止信号、玉抜き稼動・停止信号、ヒータ稼動・停止信号、布ベルト稼動・停止信号）を出力するものである。また、一括操作パネル４０から分岐端子板３４を介して各パチンコ島台１の揚送装置制御基板３３に出力される信号としては、後で詳述する確認信号がある（確認信号出力手段）。また、一括操作パネル４０には、パチンコ島台１毎に設けられる揚送装置３等の各種装置の稼動及び停止を一括して制御するためのＯＮ／ＯＦＦスイッチである一括操作スイッチ（図示しない）が設けられ、該一括操作スイッチが本発明に係る一括操作手段を構成している。
【００２４】
一方、揚送装置制御基板３３には、電源ユニット３２を介して揚送装置３が接続されると共に、入込シャッタ装置１９、自動巻取装置２０、フラッシュランプ３１、ヒータ装置２１、玉抜き用分離器１３（同図中には、玉抜き装置と記載）、島端表示パネル３０、及びスイッチパネル３５が接続され、さらには、揚送装置３に設けられる各種センサ（ガイド開放センサ２２、玉通過センサ２３、揚送モータ回転センサ２４、揚送ベルト回転センサ２５、上部プーリ回転センサ２６、Ｖベルト回転センサ２７、逆流防止センサ２８）が接続されている。なお、図示しないが、揚送装置制御基板３３は、各種の制御処理を行うＣＰＵ、該ＣＰＵで実行される各種制御プログラムやデータ等を記憶するＲＯＭ、ＣＰＵの動作に必要な一定周期のパルス信号を出力するクロック、及び各種信号の入出力を行う入出力ポートを備えている。
【００２５】
次に、上記した揚送装置制御基板３３による揚送装置制御処理について図３乃至図１０を参照して説明する。図３は、揚送装置制御基板３３による揚送装置制御処理を示すフローチャートである。図４は、揚送装置制御処理のオーバーロード処理を示すフローチャートである。図５は、揚送装置制御処理のオーバフロー処理を示すフローチャートである。図６は、揚送装置制御処理の断線処理を示すフローチャートである。図７は、揚送装置制御処理の入込シャッタ状態確認処理を示すフローチャートである。図８は、揚送装置制御処理の手動制御処理を示すフローチャートである。図９は、揚送装置制御処理の自動制御処理を示すフローチャートである。図１０は、揚送装置制御処理の監視処理を示すフローチャートである。
【００２６】
図３に示す揚送装置制御処理において、揚送装置制御基板３３は、オーバーロード処理（ステップＳ１）、オーバーフロー処理（ステップＳ２）、断線処理（ステップＳ３）、入込シャッタ状態確認処理（ステップＳ４）、手動制御処理（ステップＳ５）、自動制御処理（ステップＳ６）、及び監視処理（ステップＳ７）を順次行う。ステップＳ１のオーバーロード処理では、図４に示すように、先ず、過負荷信号の有無を判別する（ステップＳ１１）。過負荷信号とは、揚送装置３の図示しないブレーカがオーバーロードした際に発生する信号である。ステップＳ１１で過負荷信号がないときは、そのままオーバーロード処理を終了する一方、過負荷信号があるときは、フラッシュランプ３１を点灯する出力信号をＯＮにすると共に（ステップＳ１２）、オーバーロードの（過負荷による異常が発生した旨を示す）出力信号をＯＮにする（ステップＳ１３）。次いで、揚送装置３が稼動中である旨を示す出力信号をＯＦＦにすると共に（ステップＳ１４）、揚送装置３を稼動する出力信号をＯＦＦにして揚送装置３を停止する（ステップＳ１５）。そして、入込シャッタ装置１９を閉鎖することで、揚送装置３へのパチンコ玉の導入を停止した後に（ステップＳ１６）、揚送装置３の稼動フラグを停止状態にセットして（ステップＳ１７）、オーバーロード処理を終了する。
【００２７】
ステップＳ２のオーバーフロー処理では、図５に示すように、先ず、逆流防止センサ２８がＯＮしているか否かを判別する（ステップＳ２１）。逆流防止センサ２８は、揚送装置３へのパチンコ玉の逆流の有無を検出するためのセンサである。ステップＳ２１で逆流防止センサ２８がＯＦＦのときは、そのままオーバーフロー処理を終了する一方、逆流防止センサ２８がＯＮのときは、その逆流防止センサ２８のＯＮ信号の入力が２秒以上あるか否かを判別する（ステップＳ２２）。ステップＳ２２で逆流防止センサ２８のＯＮ信号の入力が２秒未満のときは、前記ステップＳ２１へ戻る一方、逆流防止センサ２８のＯＮ信号の入力が２秒以上あるときは、フラッシュランプ３１を点灯する出力信号をＯＮにすると共に（ステップＳ２３）、オーバーフローの（逆流による異常が発生した旨を示す）出力信号をＯＮにする（ステップＳ２４）。次いで、揚送装置３が稼動中である旨を示す出力信号をＯＦＦにすると共に（ステップＳ２５）、入込シャッタ装置１９を閉鎖することで、揚送装置３へのパチンコ玉の導入を停止する（ステップＳ２６）。そして、１０秒間の待機状態を設けた後に（ステップＳ２７）、揚送装置３を稼動する出力信号をＯＦＦにして揚送装置３を停止すると共に（ステップＳ２８）、揚送装置３の稼動フラグを停止状態にセットして（ステップＳ２９）、オーバーフロー処理を終了する。
【００２８】
ステップＳ３の断線処理では、図６に示すように、先ず、逆流防止センサ２８が断線しているか否かを判別する（ステップＳ３１）。ステップＳ３１で逆流防止センサ２８が断線していないときは、そのまま断線処理を終了する一方、逆流防止センサ２８が断線しているときは、断線の（断線による異常が発生した旨を示す）出力信号をＯＮにして（ステップＳ３２）、断線処理を終了する。
【００２９】
ステップＳ４の入込シャッタ状態確認処理では、図７に示すように、先ず、揚送装置３の稼動フラグに稼動状態がセットされているか否かを判別する（ステップＳ４１）。ステップＳ４１で稼動フラグに稼動状態がセットされているときは、入込シャッタ装置１９の開放状態を示す入力信号がＯＮであるか否かを判別する（ステップＳ４２）。ステップＳ４２で入込シャッタ装置１９の開放状態を示す入力信号がＯＮのときは、入込シャッタ装置１９の開閉異常を示す出力信号をＯＦＦにして（ステップＳ４３）、入込シャッタ状態確認処理を終了する。一方、ステップＳ４２で入込シャッタ装置１９の開放状態を示す入力信号がＯＦＦのとき、即ち、揚送装置３が稼動中であるにも拘らず、入込シャッタ装置１９が閉鎖しているときは、入込シャッタ装置１９の開閉異常を示す出力信号をＯＮにして（ステップＳ４４）、入込シャッタ状態確認処理を終了する。一方、前記ステップＳ４１で稼動フラグに稼動状態がセットされていないとき、即ち、稼動フラグに停止状態がセットされているときは、入込シャッタ装置１９の閉鎖状態を示す入力信号がＯＦＦであるか否かを判別する（ステップＳ４５）。ステップＳ４５で入込シャッタ装置１９の閉鎖状態を示す入力信号がＯＦＦのときは、前記ステップＳ４４へ移行して入込シャッタ装置１９の開閉異常を示す出力信号をＯＮにして、入込シャッタ状態確認処理を終了する。一方、ステップＳ４５で入込シャッタ装置１９の閉鎖状態を示す入力信号がＯＮのとき、即ち、揚送装置３が停止中であり且つ入込シャッタ装置１９が閉鎖しているときは、入込シャッタ装置１９の開閉異常を示す出力信号をＯＦＦにして（ステップＳ４６）、入込シャッタ状態確認処理を終了する。
【００３０】
ステップＳ５の手動制御処理では、図８に示すように、先ず、入込シャッタ装置１９の開閉操作が手動操作に切り換えられているか否かを判別する（ステップＳ５１）。入込シャッタ装置１９の開閉操作は、揚送装置制御基板３３に設けられる切換スイッチ３３ａ（図１参照）によって自動操作と手動操作とに切り換えが可能となっている。ステップＳ５１で入込シャッタ装置１９の開閉操作が手動操作ではなく自動操作になっているときは、そのまま手動制御処理を終了する一方、入込シャッタ装置１９の開閉操作が手動操作のときは、揚送装置制御基板３３に設けられる入込開放スイッチ３３ｂ（図１参照）がＯＮしているか否かを判別する（ステップＳ５２）。ステップＳ５２で入込開放スイッチ３３ｂがＯＮのときは、入込シャッタ装置１９を開放して揚送装置３へパチンコ玉を導入した後に（ステップＳ５３）、ステップＳ５５へ移行する。一方、入込開放スイッチ３３ｂがＯＦＦのときは、入込シャッタ装置１９を閉鎖して揚送装置３へのパチンコ玉の導入を停止した後に（ステップＳ５４）、ステップＳ５５へ移行する。
【００３１】
ステップＳ５５では、揚送装置制御基板３３に設けられる揚送稼動スイッチ３３ｃ（図１参照）がＯＮしているか否かを判別する。ステップＳ５５で揚送稼動スイッチ３３ｃがＯＮのときは、揚送装置３を稼動する（ステップＳ５６）。そして、揚送装置３の稼動フラグを稼動状態にセットすると共に（ステップＳ５７）、揚送装置３が稼動中である旨を示す出力信号をＯＮにして（ステップＳ５８）、手動制御処理を終了する。一方、ステップＳ５５で揚送稼動スイッチ３３ｃがＯＦＦのときは、揚送装置制御基板３３に設けられる揚送停止スイッチ３３ｄ（図１参照）がＯＮしているか否かを判別する（ステップＳ５９）。ステップＳ５９で揚送停止スイッチ３３ｄがＯＦＦのときは、そのまま手動制御処理を終了する一方、揚送停止スイッチ３３ｄがＯＮのときは、揚送装置３を停止する（ステップＳ６０）。そして、揚送装置３の稼動フラグを停止状態にセットすると共に（ステップＳ６１）、揚送装置３が稼動中である旨を示す出力信号をＯＦＦにして（ステップＳ６２）、手動制御処理を終了する。
【００３２】
ステップＳ６の自動制御処理では、図９に示すように、先ず、入込シャッタ装置１９の開閉操作が自動操作に切り換えられているか否かを判別する（ステップＳ７１）。ステップＳ７１で入込シャッタ装置１９の開閉操作が自動操作ではなく手動操作になっているときは、そのまま自動制御処理を終了する一方、入込シャッタ装置１９の開閉操作が自動操作のときは、一括操作パネル４０からの揚送稼動信号の入力があるか否かを判別する（ステップＳ７２）。ステップＳ７２で揚送稼動信号の入力があるときは、揚送装置３を稼動する（ステップＳ７３：揚送装置制御手段）。次いで、揚送装置３の稼動フラグを稼動状態にセットすると共に（ステップＳ７４）、揚送装置３が稼動中である旨を示す出力信号をＯＮにする（ステップＳ７５）。そして、１０秒間の待機状態を設けた後に（ステップＳ７６）、入込シャッタ装置１９を開放して揚送装置３へパチンコ玉を導入して（ステップＳ７７）、自動制御処理を終了する。一方、ステップＳ７２で揚送稼動信号の入力がないときは、一括操作パネル４０からの揚送停止信号の入力があるか否かを判別する（ステップＳ７８）。ステップＳ７８で揚送停止信号の入力がないときは、そのまま自動制御処理を終了する一方、揚送停止信号の入力があるときは、入込シャッタ装置１９を閉鎖して揚送装置３へのパチンコ玉の導入を停止する（ステップＳ７９）。次いで、１０秒間の待機状態を設けた後に（ステップＳ８０）、揚送装置３を停止する（ステップＳ８１：揚送装置制御手段）。そして、揚送装置３の稼動フラグを停止状態にセットすると共に（ステップＳ８２）、揚送装置３が稼動中である旨を示す出力信号をＯＦＦにして（ステップＳ８３）、自動制御処理を終了する。
【００３３】
ステップＳ７の監視処理（報知制御手段、判定手段）では、図１０に示すように、先ず、一括操作パネル４０からの確認信号の入力があるか否かを判別する（ステップＳ９１）。確認信号は、適度なＯＮ／ＯＦＦ状態（具体的には、２００ｍｓのＯＮと１００ｍｓのＯＦＦ）となる信号波形を有して、一括操作パネル４０から各種パチンコ島台１（揚送装置制御基板３３）へ出力されるパチンコ島台１監視用の信号であり、一括操作パネル４０側の判定に基づいて前述した一括操作スイッチがＯＮされていることを判断すると、各種パチンコ島台１の揚送装置制御基板３３に向けて確認信号が出力されるようになっている。これにより、冬場等で一括操作パネル４０と各種パチンコ島台１（揚送装置制御基板３３）とを接続する通信線にノイズが乗るような場合でも、揚送装置制御基板３３は、一括操作パネル４０側から送られる確認信号を複数回検出したときに１つの信号として認識できるようになっている。なお、通信線にノイズが乗る要因としては、パチンコ島台１の内部の狭小空間で、遊技機用配線や各種装置用配線等、複数の異なる様々な配線が入り乱れて狭い配線設置領域に配置されることで、動力配線からのノイズが通信線に乗りやすくなること等が挙げられる。
【００３４】
ステップＳ９１で確認信号の入力がないときは、そのまま監視処理を終了する一方、監視信号の入力があるときは、次に、入込シャッタ装置１９の開閉操作が自動操作に切り換えられているか否かを判別する（ステップＳ９２）。ステップＳ９２で入込シャッタ装置１９の開閉操作が自動操作ではなく手動操作のときは、フラッシュランプ３１を消灯した後に（ステップＳ９３）、パチンコ島台１内のパチンコ玉の循環が正常であることを示すように島台玉循環フラグをＯＮにして（ステップＳ９４）、監視処理を終了する。一方、ステップＳ９２で入込シャッタ装置１９の開閉操作が自動操作のときは、オーバーロード（ＯＬ）又はオーバーフロー（ＯＦ）を解除してから４０秒が経過したか否かを判別する（ステップＳ９５）。ステップＳ９５で４０秒が経過していないときは、そのまま監視処理を終了する一方、４０秒が経過しているときは、揚送装置稼動フラグが停止状態であるか否かを判別する（ステップＳ９６：揚送装置監視手段）。
【００３５】
ステップＳ９６で揚送装置稼動フラグが停止状態のときは、フラッシュランプ３１を点灯する（ステップＳ９７）。次いで、パチンコ島台１内のパチンコ玉の循環が異常であることを示すように島台玉循環フラグをＯＦＦにして（ステップＳ９８）、揚送装置３が稼動中である旨を示す出力信号をＯＦＦにする（ステップＳ９９）。そして、入込シャッタ装置１９の開閉異常を示す出力信号をＯＦＦにした後に（ステップＳ１００）、オーバーフロー（逆流防止センサ２８）の断線を示す出力信号をＯＦＦにして（ステップＳ１０１）、監視処理を終了する。一方、ステップＳ９６で揚送装置稼動フラグが停止状態ではなく稼動状態のときは、入込シャッタ装置１９が閉鎖しているか否かを判別する（ステップＳ１０２：流通状態監視手段）。ステップＳ１０２で入込シャッタ装置１９が閉鎖しているときは、そのまま前記ステップＳ９７へ移行する一方、入込シャッタ装置１９が開放しているときは、フラッシュランプ３１を消灯した後に（ステップＳ１０３）、パチンコ島台１内のパチンコ玉の循環が正常であることを示すように島台玉循環フラグをＯＮにして（ステップＳ１０４）、監視処理を終了する。
【００３６】
次に、上記した監視処理に基づくフラッシュランプ３１の点灯・消灯態様について、図１１を参照して説明する。図１１は、一括操作パネル４０の操作状態、揚送装置３の稼動状態、及び入込シャッタ装置１９の開閉状態に応じたフラッシュランプ３１の点灯・消灯態様を示す一覧表図である。
【００３７】
図１１において、一括操作パネル４０（一括操作スイッチ）の操作状態がＯＮとなる場合（一括操作パネル４０が一括操作スイッチのＯＮ状態を判断して揚送装置制御基板３３に確認信号を出力した場合）、フラッシュランプ３１の点灯・消灯態様はパターン１〜４の４種類となり、一括操作パネル４０（一括操作スイッチ）の操作状態がＯＦＦとなる場合（一括操作パネル４０が一括操作スイッチのＯＦＦ状態を判断して揚送装置制御基板３３に確認信号を出力しない場合）では、フラッシュランプ３１の点灯・消灯態様はパターン５〜８の４種類となる。パターン１は、揚送装置稼動フラグ（揚送装置３）が稼動状態となり、且つ、入込シャッタ装置１９が開放状態となるパターンであり、前記ステップＳ９６で「ＮＯ」を判定した後に前記ステップＳ１０２で「ＮＯ」を判定して、前記ステップＳ１０３へ移行することで、パチンコ玉の循環が正常であると判断してフラッシュランプ３１を消灯（ＯＦＦ）する態様である。パターン２は、揚送装置稼動フラグ（揚送装置３）が稼動状態となり、且つ、入込シャッタ装置１９が閉鎖状態となるパターンであり、前記ステップＳ９６で「ＮＯ」を判定した後に前記ステップＳ１０２で「ＹＥＳ」を判定して、前記ステップＳ９７へ移行することで、パチンコ玉の循環が異常であると判断してフラッシュランプ３１を点灯（ＯＮ）する態様である。
【００３８】
パターン３は、揚送装置稼動フラグ（揚送装置３）が停止状態となり、且つ、入込シャッタ装置１９が開放状態となるパターンであり、また、パターン４は、揚送装置稼動フラグ（揚送装置３）が停止状態となり、且つ、入込シャッタ装置１９が閉鎖状態となるパターンであり、それぞれ前記ステップＳ９６で「ＹＥＳ」を判定して、前記ステップＳ９７へ移行することで、パチンコ玉の循環が異常であると判断してフラッシュランプ３１を点灯（ＯＮ）する態様である。一方、パターン５〜８は、それぞれ一括操作パネル４０が一括操作スイッチのＯＦＦ状態を判断して揚送装置制御基板３３に確認信号が出力されないため、前記ステップＳ９１で「ＮＯ」を判定してそのまま監視処理を終了することで、とりわけフラッシュランプ３１の点灯・消灯制御を行うことなくフラッシュランプ３１の消灯（ＯＦＦ）状態を維持する態様である。即ち、パターン５〜８は、一括操作スイッチがＯＮされない通常営業以外の状態であり、メンテナンス等により個々のパチンコ島台１毎で揚送装置３や入込シャッタ装置１９が駆動される際のパターンである。なお、この場合は、緊急性を要する報知が不要であり、フラッシュランプ３１の報知に換えてスイッチパネル３５や島端表示パネル３０の点灯・消灯態様で異常・正常の報知が行われる。
【００３９】
次に、揚送装置制御基板を専用の制御基板（揚送装置３、入込シャッタ装置１９、及びフラッシュランプ３１のみを専用に制御する基板）とした構成を他の実施形態として、図１２を参照して説明する。図１２は、他の実施形態における一括操作パネル４０及び揚送装置制御基板５１を示すブロック図である。なお、以下の説明では、前述した実施形態と同様の機能を有する構成については便宜的に同一の符号を付すと共にその詳細な説明を省略する。
【００４０】
図１２において、一括操作パネル４０には、分岐端子板３４を介して各パチンコ島台１（遊技島Ａ〜Ｄ）毎の各島制御基板５０が接続されている。そして、一括操作パネル４０は、パチンコ島台１内に設置される揚送装置３等の各種装置に対して一括して稼動又は停止を指示する信号（揚送機稼動・停止信号、玉抜き稼動・停止信号、ヒータ稼動・停止信号、布ベルト稼動・停止信号）を分岐端子板３４を介して各パチンコ島台１の各島制御基板５０に出力する。なお、各島制御基板５０は、一括操作パネル４０から各種の稼動・停止信号を入力すると、これに基づいたコマンド信号を後述する揚送装置制御基板５１、自動巻取制御基板５２、ヒータ制御基板５３、玉抜き制御基板５４、島端表示パネル３０、及びスイッチパネル３５に出力する。また、一括操作パネル４０から分岐端子板３４を介して各パチンコ島台１の各島制御基板５０に出力される信号としては確認信号がある。
【００４１】
各島制御基板５０には、揚送装置制御基板５１、自動巻取制御基板５２、ヒータ制御基板５３、及び玉抜き制御基板５４が接続されると共に、島端表示パネル３０とスイッチパネル３５とが接続されている。揚送装置制御基板５１には、電源ユニット３２を介して揚送装置３が接続されると共に、入込シャッタ装置１９（同図中には、導入樋開閉装置と記載）、逆流防止センサ２８とフラッシュランプ３１とが接続されている。また、自動巻取制御基板５２には、自動巻取装置２０が接続されており、ヒータ制御基板５３には、ヒータ装置２１が接続されており、玉抜き制御基板５４には、玉抜き用分離器１３（同図中には、玉抜き装置と記載）が接続されている。そして、揚送装置制御基板５１は、逆流防止センサ２８からの検出信号を入力する一方、各島制御基板５０から前述したコマンド信号を入力することで、揚送装置３、入込シャッタ装置１９、及びフラッシュランプ３１へ制御信号を出力して、揚送装置３の稼動・停止、入込シャッタ装置１９の開放・閉鎖、フラッシュランプ３１の点灯・消灯を制御する。また、自動巻取制御基板５２は、各島制御基板５０からコマンド信号を入力することで、自動巻取装置２０へ制御信号を出力して自動巻取装置２０の駆動を制御する。ヒータ制御基板５３は、各島制御基板５０からコマンド信号を入力することで、ヒータ装置２１へ制御信号を出力してヒータ装置２１の駆動を制御する。玉抜き制御基板５４は、各島制御基板５０からコマンド信号を入力することで、玉抜き用分離器１３へ制御信号を出力して玉抜き用分離器１３の駆動を制御する。このように他の実施形態の構成によれば、揚送装置制御基板５１は、揚送装置３、入込シャッタ装置１９、及びフラッシュランプ３１を制御する専用の制御基板として構成されている。
【００４２】
以上のように、本実施形態の構成によれば、一括操作パネル４０は、揚送稼動信号を出力した後に一括操作スイッチの操作状態が揚送装置３の稼動状態となる場合、複数のパチンコ島台１の揚送装置制御基板３３にそれぞれ定期的に確認信号を出力する。そして、揚送装置制御基板３３は、一括操作パネル４０からの確認信号が入力されると、揚送装置３の実稼動状態とパチンコ玉の流通状態（入込シャッタ装置１９の開閉状態）とに基づいて、フラッシュランプ３１による報知動作を行うか否かを判定し、その判定結果に基づいてフラッシュランプ３１の報知動作を制御する。これにより、通信線にノイズが乗ることに起因してパチンコ島台１を構成する各種装置が誤動作した場合、例えば、揚送装置制御基板３３が通信線のノイズを一括操作パネル４０からの停止信号と誤認識してしまい、パチンコ島台１の各種装置が停止する誤動作を起こした場合でも、揚送装置制御基板３３は、一括操作パネル４０から定期的に送り込まれる確認信号に基づいて、揚送装置３の実稼動状態とパチンコ玉の流通状態とを定期的に監視することで、ノイズに起因する各種装置の誤動作（停止）を即座に判断して、その旨をフラッシュランプ３１で報知するので、このような誤動作に伴う異常発生を即座に報知することができる。また、このように誤動作に伴う異常発生を即座に報知することで、パチンコ島台１のパチンコ玉の循環が停止して補給樋から完全にパチンコ玉が無くなった状態を検出した時点で始めて異常を報知するようなことを回避できるので、パチンコ島台１に関わる遊技を完全に停止させるような不具合を確実に回避することができる。
【００４３】
また、揚送装置制御基板３３は、一括操作パネル４０から定期的に送り込まれる確認信号に基づいた監視において、パチンコ玉の流通状態に関わらず、揚送装置３が停止状態であると監視すると、フラッシュランプ３１を制御して循環異常状態を報知するので、通信線にノイズが乗ることに起因して揚送装置３が停止する誤動作が行った場合には、このような誤動作に伴う異常発生を即座に報知することができる。
【００４４】
また、揚送装置制御基板３３は、一括操作パネル４０から定期的に送り込まれる確認信号に基づいた監視において、揚送装置３が稼動状態であり、且つ、パチンコ玉の流通が停止した状態であると監視すると、フラッシュランプ３１を制御して循環異常状態を報知するので、通信線にノイズが乗ることに起因してパチンコ玉を揚送装置３へと導く回収経路でパチンコ玉の送り込みに異常が生じた場合（実施形態中では、パチンコ玉を揚送装置３へ送り込む入込シャッタ装置１９が誤動作してパチンコ玉の送り込みが停止した場合）には、このような誤動作に伴う異常発生を即座に報知することができる。
【００４５】
なお、本実施形態の構成によれば、一括操作パネル４０は、一括操作スイッチがＯＮされた後に定期的に確認信号を出力するように構成しているが、この構成に限定するものではなく、揚送装置制御基板３３が一括操作スイッチのＯＮ信号を入力すると、その後、揚送装置制御基板３３が定期的に一括操作パネル４０に対して一括操作スイッチのＯＮ状態を確認するようにしてもよい。
【００４６】
また、循環異常状態を報知するフラッシュランプ３１の発光態様は、確認信号の入力に基づいたパチンコ島台１の各種装置の監視によって判定した循環異常状態と、それ以外の循環異常状態（揚送装置３のオーバーロード及びオーバーフロー）とで、とりわけ異なった発光態様とするものではないが、それぞれの循環異常状態毎でフラッシュランプ３１の発光態様を異ならせるようにすることで、一目で循環異常状態の種類が認識できるようにしてもよい。
【００４７】
また、揚送装置３の実稼動状態を監視する構成としては、揚送装置３の稼動フラグがＯＮしているか否かの判定、Ｖベルト回転センサ２７によるＶベルトの回転検出、揚送モータ回転センサ２４による揚送モータの回転検出、揚送ベルト回転センサ２５による揚送ベルトの回転検出、上部プーリ回転センサ２６による上部プーリの回転検出、を見ることで監視することができる。
【００４８】
また、揚送装置３へと導かれるパチンコ玉の流通状態を監視する構成としては、導入樋４ａ（入込シャッタ装置１９）が開放しているか否かの判定、ガイド開放センサ２２によるガイドレールの開閉検出、玉通過センサ２３による玉量検出等の揚送装置３の中又は前後でのパチンコ玉の通過状況の検出、を見ることで監視することができる。
【００４９】
なお、本実施形態では、パチンコ玉を遊技媒体として遊技を行うパチンコ機を遊技機とし、これを複数列設したパチンコ島台を本発明に係る遊技島台としているが、これに限定するものではなく、例えば、コインを遊技媒体として遊技を行うスロットマシンを遊技機とし、これを複数列設したスロット島台を本発明に係る遊技島台としてもよい。また、本実施形態の構成によれば、図１１に示すようにパターン２の状態が検出されると、判定手段はフラッシュランプを点灯させるように構成したが、例えば、揚送装置制御基板（島台装置制御手段）が入込シャッタ状態を正常に復帰させる動作（リトライ）を複数回実行した後、それでも異常状態が回復しないときにフラッシュランプを点灯させるように構成しているとよい。このように構成すれば、自動的に異常状態を復帰させることができ、しかも復帰できない場合に限ってフラッシュランプを点灯させて遊技場の店員に報知を行うことができる。
【符号の説明】
【００５０】
１，Ａ〜Ｄ  パチンコ島台（遊技島台）
３  揚送装置
１３  玉抜き用分離器
１９  入込シャッタ装置
２０  自動巻取装置
２１  ヒータ装置
３０  島端表示パネル
３１  フラッシュランプ（循環異常報知手段）
３２  電源ユニット
３３  揚送装置制御基板（島台装置制御手段、揚送装置制御手段、揚送装置監視手段、流通状態監視手段、報知制御手段、判定手段）
３４  分岐端子板
３５  スイッチパネル
４０  一括操作パネル（一括操作手段、一括信号出力手段、確認信号出力手段）
【図１】
0005471264.tif 000002
【図２】
0005471264.tif 000003
【図３】
0005471264.tif 000004
【図４】
0005471264.tif 000005
【図５】
0005471264.tif 000006
【図６】
0005471264.tif 000007
【図７】
0005471264.tif 000008
【図８】
0005471264.tif 000009
【図９】
0005471264.tif 000010
【図１０】
0005471264.tif 000011
【図１１】
0005471264.tif 000012
【図１２】
0005471264.tif 000013